(57)【要約】      （修正有）【課題】操作が簡単で快適性の高いベビーキャリー及びサポート装置を提供する。【解決手段】ベビーキャリー及びサポート装置は、ベビー用ストラップ１１０と、ベビー用ストラップとの収納袋１１４の中に着脱可能に接続され、且つ支持ボード１２１を有するベビー支持アセンブリ１２０と、を含み、支持ボードは、ベビーの背中及び／又は頸部をサポートするために用いられる。【選択図】図１
0003219541.tif 000002
【実用新案登録請求の範囲】
【請求項１】
ベビーキャリー及びサポート装置であって、
ベビー用ストラップと、
前記ベビー用ストラップと着脱可能に接続され、且つ支持ボードを有するベビー支持アセンブリと、を含み、
前記支持ボードは、ベビーの背中及び／又は頸部をサポートするために用いられる、ベビーキャリー及びサポート装置。
【請求項２】
請求項1に記載のベビーキャリー及びサポート装置であって、
前記ベビー支持アセンブリは、さらに、前記支持ボードの外に設けられる柔らかい布を含む、ベビーキャリー及びサポート装置。
【請求項３】
請求項1に記載のベビーキャリー及びサポート装置であって、
前記ベビー用ストラップには、収納袋が設けられ、前記ベビー支持アセンブリは、前記収納袋内に分離可能に插設され、且つ位置が前記ベビー用ストラップに対して調整され得る、ベビーキャリー及びサポート装置。
【請求項４】
請求項3に記載のベビーキャリー及びサポート装置であって、
前記収納袋と前記ベビー支持アセンブリとの間に設けられる第一接続部をさらに含み、
前記第一接続部により、前記ベビー支持アセンブリの、前記ベビー用ストラップに対しての位置を調整し得る、ベビーキャリー及びサポート装置。
【請求項５】
請求項4に記載のベビーキャリー及びサポート装置であって、
前記第一接続部は、バックル、ボタン、ジッパー、着脱可能な固定用バー、磁石又はマジックテープ（登録商標）である、ベビーキャリー及びサポート装置。
【請求項６】
請求項3に記載のベビーキャリー及びサポート装置であって、
前記ベビー用ストラップは、順に接続される背中支持部、脚支持部及び股間固定片を含み、前記収納袋は、前記背中支持部に設置される、ベビーキャリー及びサポート装置。
【請求項７】
請求項6に記載のベビーキャリー及びサポート装置であって、
前記ベビー用ストラップは、さらに、前記股間固定片と前記背中支持部との間に設けられて両者の着脱可能な接続を実現するための固定部を含む、ベビーキャリー及びサポート装置。
【請求項８】
請求項7に記載のベビーキャリー及びサポート装置であって、
前記固定部は、バックル、ボタン、ジッパー又はマジックテープ（登録商標）である、ベビーキャリー及びサポート装置。
【請求項９】
請求項2に記載のベビーキャリー及びサポート装置であって、
前記柔らかい布は、本体及び前記本体に接続される２つの側翼を含み、前記本体及び２つの前記側翼は、ベビーが座るシート領域を形成し、前記支持部は、前記本体内に設置される、ベビーキャリー及びサポート装置。
【請求項１０】
請求項2に記載のベビーキャリー及びサポート装置であって、
前記ベビー支持アセンブリは、さらに、前記柔らかい布に固定されてベビーを固定するための安全バックルを含む、ベビーキャリー及びサポート装置。
【請求項１１】
請求項1に記載のベビーキャリー及びサポート装置であって、
大人用ストラップをさらに含み、
前記ベビー用ストラップは、前記大人用ストラップと着脱可能に接続され得る、ベビーキャリー及びサポート装置。
【請求項１２】
請求項11に記載のベビーキャリー及びサポート装置であって、
前記大人用ストラップは、腰ベルト及び前記腰ベルトに接続される肩ストラップを含み、前記ベビー用ストラップは、前記腰ベルト及び／又は前記肩ストラップに着脱可能に接続され得る、ベビーキャリー及びサポート装置。
【請求項１３】
請求項11に記載のベビーキャリー及びサポート装置であって、
前記大人用ストラップと前記ベビー用ストラップとの間に設けられて両者間の着脱可能な接続を実現するための第二接続部をさらに含む、ベビーキャリー及びサポート装置。
【請求項１４】
請求項13に記載のベビーキャリー及びサポート装置であって、
前記第二接続部は、バックル、ボタン、ジッパー及びマジックテープ（登録商標）のうちの少なくとも１つである、ベビーキャリー及びサポート装置。
【考案の詳細な説明】
【技術分野】
【０００１】
本考案は、ベビー用品に関し、特に、操作がより簡単で且つ快適性がより高いベビーキャリー及びサポート装置に関する。
【背景技術】
【０００２】
例えば、抱っこ紐やスリング、チェアベルトなどのベビーキャリアを用いることで、保護者が両手を解放してベビーをキャリーしながら外へ自由に移動することができ、また、ベビーとの親密な接触に影響を与えることもない。抱っこ紐を例とすると、使い方に従って、横抱き式、縦抱き式、対面式などのものに分けることができ、また、機能に従って分類すれば、専用タイプ、両用タイプ、多用途タイプなどの種類がある。
【０００３】
抱っこ紐は、人間工学に符合して使用者の負担を軽減する必要があると共に、ベビーの臀部、腰部、頸部、頭部などを支持し、湾曲や不必要な圧力を避けることで、ベビーが座るときの快適性及び安全性を保証し、ベビーの柔弱な筋肉及び骨格を保護する必要もある。しかし、従来の抱っこ紐は、ベビーへのサポート（支持）に限度があるため、座り心地が良いとは言えない。
【０００４】
よって、上述の従来技術に存在する問題を解決するために、操作がより簡単で且つ快適性がより高いベビーキャリー及びサポート装置を提供する必要がある。
【考案の概要】
【考案が解決しようとする課題】
【０００５】
本考案の目的は、操作がより簡単で且つ快適性がより高いベビーキャリー及びサポート装置を提供することにある。
【課題を解決するための手段】
【０００６】
上述の目的を達成するために、本考案は、ベビーキャリー及びサポート装置を提供し、それは、ベビー用ストラップ及びベビー支持アセンブリを含み、ベビー支持アセンブリは、前記ベビー用ストラップと着脱可能に接続され、且つ支持ボードを有し、前記支持ボードは、ベビーの背中及び／又は頸部を支持するために用いられる。
【０００７】
好ましくは、前記ベビー支持アセンブリは、さらに、前記支持ボードの外に設けられる柔らかい布を含む。
【０００８】
好ましくは、前記ベビー用ストラップには、収納袋が設けられ、前記ベビー支持アセンブリは、前記収納袋内に分離可能に插設され（挿入して設置され）、且つ位置が前記ベビー用ストラップに対して調整され得る。
【０００９】
好ましくは、前記ベビーキャリー及びサポート装置は、さらに、前記収納袋と前記ベビー支持アセンブリとの間に設けられる第一接続部を含み、前記第一接続部により、前記ベビー支持アセンブリの、前記ベビー用ストラップに対しての位置を調整し得る。
【００１０】
好ましくは、前記第一接続部は、バックル、ボタン、ジッパー、着脱可能な固定用バー、磁石又はマジックテープ（登録商標）である。
【００１１】
好ましくは、前記ベビー用ストラップは、順に接続される背中支持部、脚支持部及び股間固定片を含み、前記収納袋は、前記背中支持部に設けられる。
【００１２】
好ましくは、前記ベビー用ストラップは、さらに、前記股間固定片と前記背中支持部との間に設けられて両者の着脱可能な接続を実現するための固定部を含む。
【００１３】
好ましくは、前記固定部は、バックル、ボタン、ジッパー又はマジックテープ（登録商標）である。
【００１４】
好ましくは、前記柔らかい布は、本体と、前記本体に接続される２つの側翼とを含み、前記本体及び２つの前記側翼は、ベビーが座るシート（seat）領域を形成し、前記支持部は、前記本体内に設けられる。
【００１５】
好ましくは、前記ベビー支持アセンブリは、さらに、前記柔らかい布に固定されてベビーを固定するための安全バックルを含む。
【００１６】
好ましくは、前記ベビーキャリー及びサポート装置は、さらに、大人用ストラップを含み、前記ベビー用ストラップは、前記大人用ストラップと着脱可能に接続され得る。
【００１７】
好ましくは、前記大人用ストラップは、腰ベルト及び前記腰ベルトに接続される肩ストラップを含み、前記ベビー用ストラップは、前記腰ベルト及び／又は前記肩ストラップに着脱可能に接続され得る。
【００１８】
好ましくは、前記ベビーキャリー及びサポート装置は、さらに、前記大人用ストラップと前記ベビー用ストラップとの間に設けられて両者の着脱可能な接続を実現するための第二接続部を含む。
【００１９】
好ましくは、前記第二接続部は、バックル、ボタン、ジッパー及びマジックテープ（登録商標）のうちの少なくとも１つである。
【００２０】
従来技術に比べ、本考案によるベビーキャリー及びサポート装置は、ベビー用ストラップと着脱可能に接続され得るベビー支持アセンブリを有し、且つベビー支持アセンブリは、支持ボードを有し、該支持ボードは、ベビーの背中及び／又は頸部を支持するために用いられるので、ベビーへのより良いサポートを提供することができるだけでなく、ベビーが座るときの快適性及び安全性を向上させ、ベビーの骨格の健康的成長を保証することもでき、また、ベビー支持アセンブリは、着脱可能に接続され得るので、ニーズに応じて選択的に使用することができると共に、操作をより簡単かつ柔軟にすることもできる。
【図面の簡単な説明】
【００２１】
【図１】本考案によるベビーキャリー及びサポート装置の一実施例の構造図である。
【図２】図1中のベビー用ストラップの他の角度から見た構造図である。
【図３】図1の使用状態を示す図である。
【図４】本考案によるベビーキャリー及びサポート装置の他の実施例の構造図である。
【図５】図4中のベビー支持アセンブリの構造図である。
【図６】図5の他の角度から見た構造図である。
【図７】本考案によるベビーキャリー及びサポート装置のもう１つの実施例の構造図である。
【図８】図7の他の状態を示す図である。
【図９】図7のもう１つの状態を示す図である。
【図１０】図7中のベビー用ストラップと大人用腰ベルトとの組み合わせの状態を示す図である。
【考案を実施するための形態】
【００２２】
以下、添付した図面を参照しながら、本考案を実施するための好適な形態を詳細に説明する。
【００２３】
図1〜図3に示すように、本考案によるベビーキャリー及びサポート装置100の一実施例では、ベビー用ストラップ110及び該ベビー用ストラップ110に着脱可能に接続されるベビー支持アセンブリ120を含み、該ベビー支持アセンブリ120は、支持ボード121を有し、支持ボード121は、ベビーの背中及び／又は頸部を支持するために用いられる。
【００２４】
具体的には、ベビー用ストラップ110は、順に接続される背中支持部111、脚支持部112及び股間固定片113を含み、背中支持部111の背面には、収納袋114が設置され、ベビー支持アセンブリ120は、該収納袋114の中に分離可能に插設され（挿入して設置され）、且つ位置が背中支持部111に対して調整され得る。
【００２５】
また、図1及び図2に示すように、前記ベビー用ストラップ110は、さらに、背中支持部111と股間固定片113との間に設けられる固定部115を含む。固定部115により、股間固定片113を背中支持部111に固定することで、ベビーを固定することができる。
【００２６】
本実施例では、固定部115は、オスバックル1151及びメスバックル1152を含み、オスバックル1151は、股間固定片113の端部に固定され、メスバックル1152は、背中支持部111の側部に固定される。股間固定片113を持ち上げて、オスバックル1151とメスバックル1152との接続により背中支持部111に固定することで、ベビーを固定することができる。もちろん、オスバックル1151及びメスバックル1152の設置位置を交換しても良く、このようにしても、股間固定片113と背中支持部111との固定を実現することもできる。
【００２７】
なお、理解すべきは、固定部115は、ボタン、ジッパー、マジックテープ（登録商標）などであっても良い。
【００２８】
また、図1及び図3に示すように、本実施例中のベビー支持アセンブリ120は、好ましくは、背板であり、該背板120は、支持ボード121及び該支持ボード121の外を覆う柔らかい布122を含む。該背板120は、収納袋114の中に分離可能に插設され、且つ異なるベビーに適応するように高さが背中支持部111に対して調整されても良い。支持ボード121は、ベビーの背中及び／又は頸部への比較的強い支持作用を提供することができる。
【００２９】
好ましくは、本実施例中の支持ボード121は、剛構造（即ち、硬質構造）であり、それは、熱可塑性弾性体（Hytrel）、ポリプロピレン（polypropylene、PP）、発泡ポリプロピレン（Expanded  polypropylene、EPP）、ABS樹脂（Acrylonitrile  Butadiene  Styrene）、繊維板などにより一体成形されても良いが、これに限定されない。
【００３０】
もちろん、支持ボード121は、剛構造に限定されず、それは、ニーズに応じて軟質、弾性材質などの材料を用いて弾性構造に形成されても良い。
【００３１】
また、図1及び図3に示すように、前記背板120と収納袋114との間には、さらに、第一接続部130が設けられ、第一接続部130により、背板120と背中支持部111との間の相対位置の調整及び固定を実現することができる。本実施例中の第一接続部130は、マジックテープ（登録商標）であり、該マジックテープ（登録商標）の第一粘着部分は、背板120の柔らかい布122に固定され、マジックテープ（登録商標）の第二粘着部分は、収納袋114の内壁に固定される。背板120が収納袋114に挿入された後に、第一粘着部と第二粘着部との粘着により、背板120と背中支持部111との間の位置を固定することができ、このようにして、背板120の高度の調節をより便利にすることができる。
【００３２】
もちろん、第一接続部130は、マジックテープ（登録商標）に限定されず、バックル、ボタン、ジッパー、着脱可能な固定用バー、磁石などであっても良い。
【００３３】
再び図1〜図3を参照する。本実施例では、ベビーキャリー及びサポート装置100を使用するときに、ベビーをベビー用ストラップ110の正面に置き、股間固定片113を持ち上げて固定部115により背中支持部111に固定することで、ベビーの固定を実現し、そして、背板120を、ベビーの背中及び／又は頸部を支持するように、ベビー用ストラップ110の背面にある収納袋114の中に插設し、これにより、ベビーが座るときの快適さをより良くすることができる。また、異なるベビーに適応するように背板120の高さを調整し、それから、第一接続部130を用いて両者を固定することもでき、これにより、操作をより簡単且つ柔軟にさせることができる。
【００３４】
以下、図4〜図6をもとに、本考案によるベビーキャリー及びサポート装置100の他の実施例を説明する。この実施例では、ベビー用ストラップ110及びベビー支持アセンブリ120を含み、ベビー用ストラップ110の構造は、上述の実施例と同じであるため、ここでは、その詳しい説明を省略する。以下、ベビー支持アセンブリ120のみについて説明する。
【００３５】
本実施例では、ベビー支持アセンブリ120は、ライニング（lining）であり、それは、支持ボード121、柔らかい布122及び安全バックル123を含み、柔らかい布122には、ベビーが座るためのシート（seat）領域が形成され、支持ボード121は、柔らかい布122の中に設けられ、柔らかい布122に座るベビーの背中及び／又は頸部を支持するために用いられるので、ベビーへのより良い支持作用を有し、特に新生児に適する。また、安全バックル123は、ベビーを固定するために柔らかい布122に固定される。
【００３６】
図5及び図6に示すように、前記柔らかい布122は、本体1221、２つの側翼1222及び囲み1223を含み、２つの側翼1222は、本体1221の両側に略対称に接続（設置）され、且つ本体1221に対して折ることができ、囲み1223は、本体1221の頂部に接続され、且つ本体1221と一定の角度を成す。よって、本体1221、２つの側翼1222、及び囲み1223は、前記ベビーが座るシート領域を形成することができ、また、支持ボード121は、本体1221の中に設置され、ベビーの背中及び／又は頸部を支持するために用いられる。
【００３７】
好ましくは、本実施例中の支持ボード121は、剛構造（即ち、硬質構造）であり、それは、熱可塑性弾性体（Hytrel）、ポリプロピレン（polypropylene、PP）、発泡ポリプロピレン（Expanded  polypropylene、EPP）、ABS樹脂（Acrylonitrile  Butadiene  Styrene）、繊維板などにより一体成形されても良いが、これに限定されない。
【００３８】
もちろん、支持ボード121は、剛構造に限定されず、それは、ニーズに応じて軟質、弾性材質などの材料を用いて弾性構造に形成されても良い。
【００３９】
また、図4〜図6に示すように、本実施例では、ベビーキャリー及びサポート装置100を使用するときに、ライニング120をベビー用ストラップ110の正面に設置し、ベビーが柔らかい布122上での前記シート領域内に座るようにさせ、そして、安全バックル123によりベビーを固定し、それから、ベビー用ストラップ110の股間固定片113を持ち上げて固定部115により背中支持部111に固定させることで、股間固定片113によりベビーをさらに固定することができる。使用過程では、ライニング120の支持ボード121は、ベビーの背中及び／又は頸部へのより良い支持作用を提供することができる。
【００４０】
以下、図7〜図10に基づいて、本考案によるベビーキャリー及びサポート装置100のもう１つの実施例を説明する。本実施例では、ベビー用ストラップ110、ベビー支持アセンブリ120及び大人用ストラップ140を含み、そのうち、ベビー支持アセンブリ120は、背板又はライニングであっても良く、また、その構造及びベビー用ストラップ110との接続方式は、上述の実施例と同じであるので、ここでは、その詳しい説明を省略する。本実施例では、ベビー用ストラップ110は、さらに、大人用ストラップ140に接続（固定）されても良い。
【００４１】
具体的には、大人用ストラップ140は、腰ベルト141及び腰ベルト141に接続される肩ストラップ142を含み、ベビー用ストラップ110は、腰ベルト141及び／又は肩ストラップ142に着脱可能に接続され得る。ベビー用ストラップ110と大人用ストラップ140との組み合わせにより、ベビーが座るときの快適さをより良くすることができるのみならず、使用者の負担を軽減することもできる。
【００４２】
好ましくは、ベビー用ストラップ110と大人用ストラップ140との間は、第二接続部により着脱可能な接続を実現することができる。該第二接続部は、バックル、ボタン、ジッパー、及びマジックテープ（登録商標）のうちの少なくとも１つであっても良いが、これに限定されない。
【００４３】
また、図8〜図10に示すように、本実施例中の第二接続部は、バックル150及びジッパー160を含む。そのうち、バックル150は、オスバックル151及びメスバックル152を含み、オスバックル151は、大人用ストラップ140の肩ストラップ142に固定され、メスバックル152は、背中支持部111の上端に固定される。オスバックル151とメスバックル152との接続により、ベビー用ストラップ110の上端を肩ストラップ142に固定することができ、これにより、両者間の接続をより便利且つ安全にすることができる。もちろん、オスバックル151とメスバックル152の固定位置は交換されても良いが、ここではその詳しい説明を省略する。
【００４４】
ジッパー160は、第一エレメント部161及び第二エレメント部162を含み、第一エレメント部161は、大人用ストラップ140の腰ベルト141に固定され、第二エレメント部162は、ベビー用ストラップ110の脚支持部112に固定される。ジッパー160の固定により、ベビー用ストラップ110の下端を腰ベルト141に固定することができ、これにより、ベビー用ストラップ110と大人用ストラップ140との間の接続をしっかりすることができる。
【００４５】
また、図7〜図10に示すように、本実施例では、ベビーキャリー及びサポート装置100を使用するときに、ニーズに応じて背板又はライニングを選択し、それをベビー用ストラップ110に接続（固定）することができ、その後、ベビー用ストラップ110を大人用ストラップ140に接続（固定）し、即ち、ベビー用ストラップ110上でのメスバックル152と、肩ストラップ142上でのオスバックル151との接続を行うと共に、ベビー用ストラップ110の脚支持部112と腰ベルト141とをジッパー160により固定する。このようにして、使用時に、ベビーへのより良い支持を提供することができるだけでなく、使用者の負担を軽減することもできる。
【００４６】
なお、理解すべきは、さらに、ニーズに応じて、ベビー用ストラップ110のみと、大人用ストラップ140とを組み合わせて使用することもできる。これは、当業者に既知であるため、その詳細な説明が省略される。
【００４７】
以上のことから、本考案によるベビーキャリー及びサポート装置100は、ベビー用ストラップ110と着脱可能に接続され得るベビー支持アセンブリ120を有し、且つベビー支持アセンブリ120は支持ボード121を有し、支持ボード121は、ベビーの背中及び／又は頸部を支持し得るので、ベビーの背中及び／又は頸部へのより良い支持を提供することができるのみならず、ベビーが座るときの快適性及び安全性を向上させ、ベビーの骨格の健康的成長を保証することもでき、また、ベビー支持アセンブリ120は、着脱可能に接続され得るので、ニーズに応じて選択的に使用することができるだけでなく、操作をより簡単且つ柔軟にすることもできる。
【００４８】
以上、本考案の好ましい実施形態を説明したが、本考案はこの実施形態に限定されず、本考案の趣旨を離脱しない限り、本考案に対するあらゆる変更は本考案の技術的範囲に属する。
【図１】
0003219541.tif 000003
【図２】
0003219541.tif 000004
【図３】
0003219541.tif 000005
【図４】
0003219541.tif 000006
【図５】
0003219541.tif 000007
【図６】
0003219541.tif 000008
【図７】
0003219541.tif 000009
【図８】
0003219541.tif 000010
【図９】
0003219541.tif 000011
【図１０】
0003219541.tif 000012
【手続補正書】
【提出日】平成30年11月1日(2018.11.1)
【手続補正１】
【補正対象書類名】実用新案登録請求の範囲
【補正対象項目名】全文
【補正方法】変更
【補正の内容】
【実用新案登録請求の範囲】
【請求項１】
ベビーキャリー及びサポート装置であって、
ベビー用ストラップと、
前記ベビー用ストラップと着脱可能に接続され、且つ支持ボードを有するベビー支持アセンブリと、を含み、
前記支持ボードは、ベビーの背中及び／又は頸部をサポートするために用いられる、ベビーキャリー及びサポート装置。
【請求項２】
請求項1に記載のベビーキャリー及びサポート装置であって、
前記ベビー支持アセンブリは、さらに、前記支持ボードの外に設けられる柔らかい布を含む、ベビーキャリー及びサポート装置。
【請求項３】
請求項1に記載のベビーキャリー及びサポート装置であって、
前記ベビー用ストラップには、収納袋が設けられ、前記ベビー支持アセンブリは、前記収納袋内に分離可能に插設され、且つ位置が前記ベビー用ストラップに対して調整され得る、ベビーキャリー及びサポート装置。
【請求項４】
請求項3に記載のベビーキャリー及びサポート装置であって、
前記収納袋と前記ベビー支持アセンブリとの間に設けられる第一接続部をさらに含み、
前記第一接続部により、前記ベビー支持アセンブリの、前記ベビー用ストラップに対しての位置を調整し得る、ベビーキャリー及びサポート装置。
【請求項５】
請求項4に記載のベビーキャリー及びサポート装置であって、
前記第一接続部は、バックル、ボタン、ジッパー、着脱可能な固定用バー、磁石又は面ファスナーである、ベビーキャリー及びサポート装置。
【請求項６】
請求項3に記載のベビーキャリー及びサポート装置であって、
前記ベビー用ストラップは、順に接続される背中支持部、脚支持部及び股間固定片を含み、前記収納袋は、前記背中支持部に設置される、ベビーキャリー及びサポート装置。
【請求項７】
請求項6に記載のベビーキャリー及びサポート装置であって、
前記ベビー用ストラップは、さらに、前記股間固定片と前記背中支持部との間に設けられて両者の着脱可能な接続を実現するための固定部を含む、ベビーキャリー及びサポート装置。
【請求項８】
請求項7に記載のベビーキャリー及びサポート装置であって、
前記固定部は、バックル、ボタン、ジッパー又は面ファスナーである、ベビーキャリー及びサポート装置。
【請求項９】
請求項2に記載のベビーキャリー及びサポート装置であって、
前記柔らかい布は、本体及び前記本体に接続される２つの側翼を含み、前記本体及び２つの前記側翼は、ベビーが座るシート領域を形成し、前記支持ボードは、前記本体内に設置される、ベビーキャリー及びサポート装置。
【請求項１０】
請求項2に記載のベビーキャリー及びサポート装置であって、
前記ベビー支持アセンブリは、さらに、前記柔らかい布に固定されてベビーを固定するための安全バックルを含む、ベビーキャリー及びサポート装置。
【請求項１１】
請求項1に記載のベビーキャリー及びサポート装置であって、
大人用ストラップをさらに含み、
前記ベビー用ストラップは、前記大人用ストラップと着脱可能に接続され得る、ベビーキャリー及びサポート装置。
【請求項１２】
請求項11に記載のベビーキャリー及びサポート装置であって、
前記大人用ストラップは、腰ベルト及び前記腰ベルトに接続される肩ストラップを含み、前記ベビー用ストラップは、前記腰ベルト及び／又は前記肩ストラップに着脱可能に接続され得る、ベビーキャリー及びサポート装置。
【請求項１３】
請求項11に記載のベビーキャリー及びサポート装置であって、
前記大人用ストラップと前記ベビー用ストラップとの間に設けられて両者間の着脱可能な接続を実現するための第二接続部をさらに含む、ベビーキャリー及びサポート装置。
【請求項１４】
請求項13に記載のベビーキャリー及びサポート装置であって、
前記第二接続部は、バックル、ボタン、ジッパー及び面ファスナーのうちの少なくとも１つである、ベビーキャリー及びサポート装置。